(57)【要約】【課題】  揚送装置の両側に配設された左側の島ならびに右側の島から流出した遊技球の内、遊技球の流入量が多い一方の島から流下した遊技球を、他方の島から流下した遊技球より多く揚送させることができるように配分した遊技球導入装置を提供する【解決手段】  遊技球導入装置は、導入樋から流入口を介して流下した遊技球と異物とを分離するための分離・誘導プレートを配設した分離・誘導塔と、両端の高さが異なる位置に形成した導入樋の嵌合部を有する嵌合ブラケットとを備え、前記嵌合ブラケットを該分離・誘導塔の上部に配設するとともに該嵌合ブラケットの高い位置に形成されている嵌合部と遊技球の流入量が多い一方の島との間ならびに低い位置に形成されている嵌合部と遊技球の流入量が少ない他方の島との間に各々導入樋を架橋したものである。【選択図】  図１
2008229132.tif 000002
【特許請求の範囲】
【請求項１】
遊技機島の略中央部に配設された揚送装置の下部近傍に配設され、前記揚送装置の両側に配設された左側の島ならびに右側の島から流出した遊技球を前記揚送装置に誘導するための導入樋を備えた遊技球導入装置であって、
該遊技球導入装置は、前記導入樋から流入口を介して流下した遊技球と異物とを分離するための分離・誘導プレートを配設した分離・誘導塔と、両端に高さが異なる位置に形成した導入樋の嵌合部を有する嵌合ブラケットとを備え、
該嵌合ブラケットを前記分離・誘導塔の上部に配設するとともに、前記嵌合ブラケットの高い位置に形成されている嵌合部と遊技球の流入量が多い方の島との間、ならびに低い位置に形成されている嵌合部と遊技球の流入量が少ない方の島との間に各々導入樋を架橋することにより、隣接配置された左側の島ならびに右側の島の内、遊技球の流入量が多い一方の島から流下した遊技球を他方の島から流下した遊技球より多く揚送させることができるように配分した
ことを特徴とする遊技球導入装置。
【発明の詳細な説明】
【技術分野】
【０００１】
本発明は、遊技機島の略中央部に配設されている揚送装置の下部近傍に配設された遊技球導入装置、特に、遊技機島の一方側から流下された遊技球を、遊技機島の他方側から流下した遊技球より多く揚送させることができるように配分した遊技球導入装置に関する。
【背景技術】
【０００２】
一般的に、遊技場には、遊技機島と呼ばれている島が複数設置されている。この遊技機島は、多数の遊技機と遊技球貸機を交互に並列配設した遊技部分と、この遊技部分の上部に配設された上部貯留タンクならびに遊技球を搬送する遊技球搬送装置と、遊技部分の下部に配設された遊技球を貯留・搬送するための貯留・搬送装置と、この貯留・搬送装置から上部貯留タンクに遊技球を研磨・揚送する研磨・揚送装置と、遊技球搬送装置から搬送された遊技球を貯留・搬送装置に流下させるエンドホースとを備えている。そして、遊技球を前述の上部貯留タンク→遊技球搬送装置→エンドホース→貯留・搬送装置→研磨・揚送装置→上部貯留タンクとの間を循環させている。一方、遊技機に供給された遊技球は、アウト玉としてその一部が貯留・搬送装置に合流され、研磨・揚送装置→上部貯留タンクへ搬送されている。また、このような遊技機島には、遊技機島の端部に研磨・揚送装置を配置した形式、遊技機島の中央に研磨・揚送装置を配設して、該研磨・揚送装置を挟んで左右対称に各装置を配置した形式、また、略中央に研磨・揚送装置を配設して、該研磨・揚送装置を挟んで左右非対称に各装置を配置した形式、さらに、遊技機島の端部に玉計数機を設けた形式などが見られる。
【０００３】
上述したような形式の内、遊技機島の端部に研磨・揚送装置を配置した形式、また、遊技機島の中央に研磨・揚送装置を配設して左右対称にした形式（特許文献１：特開２００５−１５２３８７号公報）などのように、遊技機島内部を循環して、遊技球が両側に配設された貯留・搬送装置から研磨・揚送装置に略均等に流入する場合には、特に、遊技機島の稼動に支障を生じせしめる恐れは少ない。しかしながら、略中央に研磨・揚送装置を配設しているが左右非対称に各装置を配置した形式、さらに、遊技機島の一端部に玉計数機を設けた形式などでは、左右の貯留・搬送装置に流入する遊技球の量に相違が生じる場合がある。このような形式の遊技機島に、前述の従来技術に開示されているような「遊技球誘導装置」を採用すると、研磨・揚送装置に流入する遊技球の量、言い換えれば、左右の貯留・搬送装置から研磨・揚送装置を介して、遊技機島の上部に配設されている上部貯留タンクに揚送される遊技球の量も概略左右同量ということになる。
【０００４】
この出願の発明に関連する先行技術文献としては次のものがある。
【特許文献１】特開２００５−１５２３８７号公報
【発明の開示】
【発明が解決しようとする課題】
【０００５】
しかしながら、上記したような、略中央に研磨・揚送装置を挟んで各装置を左右非対称に配設した形式、さらに、遊技機島の一端部に玉計数機を設けた形式などでは、必然的に、研磨・揚送装置を挟んで左右に配置された貯留・搬送装置の一方側の貯留・搬送装置に流下される遊技球が、遊技機島の他方側の貯留・搬送装置に流下する遊技球より多くなるため、従来技術（特許文献１：特開２００５−１５２３８７号公報）に開示されている「遊技球誘導装置」のように、貯留・搬送装置から略同量の遊技球を研磨・揚送装置に送り込んで上部貯留タンクへ搬送する装置を採用した場合には、流下する遊技球が多い方の貯留・搬送装置の内部には、遊技球の多い分が累積して行くことになる。この累積した遊技球が貯留・搬送装置内に充満して行くと遊技機から流下する遊技球や玉計数機から投入された遊技球が貯留・搬送装置内へ流下する際にその流下が阻害されるような事態が生ずる恐れがあった。
【０００６】
本発明は、上記の先行技術が有する問題を解決するためになされたものであり、遊技機島の略中央部に配設された揚送装置の下部近傍に配設され、前記揚送装置の両側に配設された左側の島ならびに右側の島から流出した遊技球を前記揚送装置に誘導するための導入樋を備えた遊技球導入装置であって、
該遊技球導入装置は、前記導入樋から流入口を介して流下した遊技球と異物とを分離するための分離・誘導プレートを配設した分離・誘導塔と、両端に高さが異なる位置に形成した導入樋の嵌合部を有する嵌合ブラケットとを備え、
該嵌合ブラケットを前記分離・誘導塔の上部に配設するとともに、前記嵌合ブラケットの高い位置に形成されている嵌合部と遊技球の流入量が多い方の島との間、ならびに低い位置に形成されている嵌合部と遊技球の流入量が少ない方の島との間に各々導入樋を架橋することにより、隣接配置された左側の島ならびに右側の島の内、遊技球の流入量が多い一方の島から流下した遊技球を他方の島から流下した遊技球より多く揚送させることができるように配分した遊技球導入装置を提供することを目的とする。
【課題を解決するための手段】
【０００７】
上記課題を解決するため、本発明においては、遊技機島の略中央部に配設された揚送装置の下部近傍に配設され、前記揚送装置の両側に配設された左側の島ならびに右側の島から流出した遊技球を前記揚送装置に誘導するための導入樋を備えた遊技球導入装置であって、該遊技球導入装置は、前記導入樋から流入口を介して流下した遊技球と異物とを分離するための分離・誘導プレートを配設した分離・誘導塔と、両端に高さが異なる位置に形成した導入樋の嵌合部を有する嵌合ブラケットとを備え、該嵌合ブラケットを前記分離・誘導塔の上部に配設するとともに、前記嵌合ブラケットの高い位置に形成されている嵌合部と遊技球の流入量が多い方の島との間、ならびに低い位置に形成されている嵌合部と遊技球の流入量が少ない方の島との間に各々導入樋を架橋することにより、隣接配置された左側の島ならびに右側の島の内、遊技球の流入量が多い一方の島から流下した遊技球を他方の島から流下した遊技球より多く揚送させることができるように配分したものである。
【０００８】
上記のように構成することにより、左側の島ならびに右側の島のうち流下する遊技球の流入量が多い一方の島に架橋された導入樋から分離・誘導塔に形成された流入口から流入された遊技球は、分離・誘導プレート上で広範囲に拡散された後に流下した揚送装置の導入部に搬送されるため、他方の島に架橋された導入樋から搬送された遊技球と比較して、より多く遊技球が揚送装置により上部貯留タンクに揚送される。このため、遊技球が多く流下する方の貯留・搬送装置内に貯留されている遊技球が優先的に減少して、貯留・搬送装置の内部に遊技球が累積する事態が回避され、遊技球が貯留・搬送装置内に充満して遊技機から流下する他の遊技球や玉計数機から投入された遊技球が貯留・搬送装置内へ流下するのを阻害するようなことがない。
【発明の効果】
【０００９】
以上のように、本発明によれば、遊技機島の略中央部に配設された揚送装置の下部近傍に配設され、前記揚送装置の両側に配設された左側の島ならびに右側の島から流出した遊技球を前記揚送装置に誘導するための導入樋を備えた遊技球導入装置であって、
該遊技球導入装置は、前記導入樋から流入口を介して流下した遊技球と異物とを分離するための分離・誘導プレートを配設した分離・誘導塔と、両端に高さが異なる位置に形成した導入樋の嵌合部を有する嵌合ブラケットとを備え、該嵌合ブラケットを前記分離・誘導塔の上部に配設するとともに、前記嵌合ブラケットの高い位置に形成されている嵌合部と遊技球の流入量が多い方の島との間、ならびに低い位置に形成されている嵌合部と遊技球の流入量が少ない方の島との間に各々導入樋を架橋することにより、隣接配置された左側の島ならびに右側の島の内、遊技球の流入量が多い一方の島から流下した遊技球を他方の島から流下した遊技球より多く揚送させることができるように配分することにより、遊技球が多く流下する方の貯留・搬送装置内に貯留されている遊技球を、他方の貯留・搬送装置内に貯留されている遊技球より多く上部貯留タンクに揚送することによって、流下する遊技球が多い方の貯留・搬送装置の内部に貯留された遊技球を速く減少させて貯留・搬送装置の内部に遊技球が累積するのを回避させ、もって、遊技球が貯留・搬送装置内に充満している遊技球が、遊技機から流下する遊技球や玉計数機から投入された遊技球などが貯留・搬送装置内へ流下する際に、その流下を阻害するようなことがない。
【発明を実施するための最良の形態】
【００１０】
以下、本発明を実施するための最良の形態を、図面に基づいて説明する。図１は、本発明の遊技球導入装置を示した正面図、図２は、同上面図、図３は、同側面図、図４は、嵌合ブラケットを示した概略斜視図、図５は、本発明の遊技球導入装置の配置を示した遊技機島の正面図である。
【００１１】
本発明の遊技球導入装置１は、遊技機島１００の略中央に配設されている研磨・揚送装置２（実施例では、研磨機能を兼ねた研磨・揚送装置を示しているが、揚送装置のみで研磨機能を他の位置に配置することもできる。要は、遊技機島１００の下部に配設された貯留・搬送装置（３Ｌ、３Ｒ）から遊技球導入装置１に流下した遊技球を遊技機島１００の上部に配設された上部貯留タンク４に揚送することができれば良い）の下部裏面側の近傍に配設されている。
【００１２】
遊技機島１００は、略中央に配設されている研磨・揚送装置２と、該研磨・揚送装置２の左側部分（図５の紙面で左側）に設けられた左側の島１１０と、右側部分（図５の紙面で右側）に設けられた右側の島１２０と、左側の島１１０の端部に設置された玉計数機５とを備えている。従って、左側の島１１０と右側の島１２０とは非対称形（玉計数機５がある分）と言える。（尚、明細書中で言う「非対称形」とは、前述したように、島端に玉計数機５を設置したもの、左右の遊技機６の数が異なるものなどを含み、遊技球搬送装置（８Ｌ，８Ｒ）や遊技機６ならびに玉計数機５などから左右の貯留・搬送装置に流入する遊技球が比較的大きく異なるものを総称するものである。）そして、左側の島１１０と右側の島１２０には、各々遊技機６（実施例では、パチンコ機を採用した。）と遊技球貸機７を交互に複数並設した遊技部分と、遊技機６と遊技球貸機７の上部に架設された遊技球搬送装置（８Ｌ、８Ｒ）（実施例では、水平搬送形式のものを採用している。）と遊技機６と遊技球貸機７の下部に配設された貯留・搬送装置（３Ｌ，３Ｒ）を備えている。そして、先の左側の島１１０と右側の島１２０上部に各々配設されている遊技球搬送装置（８Ｌ，８Ｒ）間には、上部貯留タンク４が配設されている。また、遊技球導入装置１は、先行技術と同様に前述の研磨・揚送装置２の下部裏面側に配設されている。
【００１３】
貯留・搬送装置（３Ｌ、３Ｒ）は、図５に示すように、左側の島１１０に遊技機６と遊技球貸機７を交互に複数並設されている遊技部分の下側に配設された貯留・搬送装置３Ｌと、右側の島１２０の遊技機６と遊技球貸機７を交互に複数並設されている遊技部分の下側に配設されている貯留・搬送装置３Ｒとで構成されている。そして、この貯留・搬送装置３Ｌには、左側の島１１０の島端部から研磨・揚送装置２方向に、エンドタンク３１Ｌ→傾斜リフター３２Ｌ→アウトレール３３Ｌ→フロントタンク３４Ｌの順に各装置類が配列されている。更に、エンドタンク３１Ｌは、遊技球搬送装置８Ｌにエンドホース３５Ｌで連通され、フロントタンク３４Ｌは、上部貯留タンク４とオーバフローホース３６Ｌで連通されている。また、右側の島１２０の貯留・搬送装置３Ｒにも同様に、右側の島１２０の島端部から研磨・揚送装置２方向に、エンドタンク３１Ｒ→傾斜リフター３２Ｒ→アウトレール３３Ｒ→フロントタンク３４Ｒの順に各装置類が配列されている。更に、エンドタンク３１Ｒは、遊技球搬送装置８Ｒにエンドホース３５Ｒで連通され、フロントタンク３４Ｒは、上部貯留タンク４とオーバフローホース３６Ｒで連通されている。そして、これらのフロントタンク３４Ｌ、フロントタンク３４Ｒは、遊技球導入装置１を介して研磨・揚送装置２に接続されている。一方、左側の島１１０の島端部外側には、玉計数機５が配設されていて、エンドタンク３１Ｌにホース等（図示しない）で連通されている。そして、該玉計数機５に投入された遊技球がエンドタンク３１Ｌに流下するように構成されている。
【００１４】
ここで、遊技機島１００に於ける遊技球の搬送サイクルについて説明する。尚、左側の島１１０ならびに右側の島１２０内での遊技球９の搬送サイクルは略同一のため、左側の島１１０について説明する。先ず、研磨・揚送装置２と遊技球搬送装置８Ｌを稼動させて、貯留・搬送装置３Ｌ内に当初、貯留されている遊技球９を貯留・搬送装置３Ｌ→遊技球導入装置１→研磨・揚送装置２→上部貯留タンク４→遊技球搬送装置８Ｌ→エンドホース３５Ｌ→貯留・搬送装置３Ｌのエンドタンク３１Ｌ→傾斜リフター３２Ｌ→アウトレール３３Ｌ→フロントタンク３４Ｌと搬送させて左側の島１１０内に遊技球９を行き渡らせる。この搬送過程で、補給シュート（図示しない）を介して、遊技機６ならびに遊技球貸機７に必要量の遊技球９が供給される。そして、遊技が続行されている間は、この搬送サイクルが継続される。また、搬送サイクルが継続された結果、上部貯留タンク４でオーバーフローした遊技球９は、オーバフローホース３６Ｌを介してフロントタンク３４Ｌに還流される。
【００１５】
次に、遊技機島１００の稼動中に遊技者が玉計数機５に遊技球９を投入すると、計数された後の遊技球９は、エンドタンク３１Ｌに流下する。これにより、エンドタンク３１Ｌ内、即ち、貯留・搬送装置３Ｌ内の遊技球９が右側の島１２０の貯留・搬送装置３Ｒ内の遊技球９より多くなる。このことが繰り返されると左側の島１１０内に遊技球９が累積されて行く。このような状態で、先行技術に開示されているような「遊技球誘導装置」を採用すると、「遊技球誘導装置」に誘導された左右略同量の遊技球が研磨・揚送装置で揚送されることとなり、左側の島１１０内の遊技球９が、貯留・搬送装置３Ｌ内に累積されて行くことになる。この累積状態が進行すると、後から玉計数機５を介して、流下してくる遊技球９の進路が阻害されたり、遊技機６から流下したアウト玉の進路が阻害されたりする恐れが有る。
【００１６】
本発明の遊技球導入装置１は、左右両側上部に遊技球９の流入口１５３（左側の島１１０側）、流入口１５４（右側の島１２０側）を形成した概略立方形の箱体状の分離・誘導塔１５と、該分離・誘導塔１５の上部に該分離・誘導塔１５の左側の島１１０側から右側の島１２０側にかけて配設された嵌合ブラケット１６と、左側の島１１０に配設された貯留・搬送装置３Ｌのフロントタンク３４Ｌに接続された導入樋１１と、右側の島１２０に配設された貯留・搬送装置３Ｒのフロントタンク３４Ｒに接続された導入樋１２と、該分離・誘導塔１５を支持台（図示しない）に固定するための脚部１４を備えている。
【００１７】
以下、遊技球導入装置１の各構成部品について図１〜図３に基づいて詳述する。分離・誘導塔１５は、概略立方形の箱体状に形成されていて、上部の左側の島１１０側の一側部に流入口１５３を、また右側の島１２０側の一側部に流入口１５４を開設するとともに内方下部（図２紙面で下方）に開口１５１を、また後方に（図２紙面で上方）分離・誘導プレート１３の差込用の開口１５２を形成している。そして、該分離・誘導プレート１３は、分離・誘導塔１５の内部に導入樋１１ならびに導入樋１２と直交するように、かつ、前述の開口１５２から開口１５１方向に下り傾斜となるように架設されている。そして、導入樋１１ならびに導入樋１２から分離・誘導プレート１３を介して流下した遊技球９は、研磨・揚送装置２の取り入れ口２１に取り込まれ、研磨・揚送装置２で上部貯留タンク４に研磨・揚送される。
【００１８】
嵌合ブラケット１６は、図４に示した概略斜視図にあるように、二枚の平板状の立壁１６３と立壁１６４を対向して配置するするとともに該立壁１６３と立壁１６４の両端下縁部を互いに連結して断面チャンネル状の嵌合部１６１と嵌合部１６２を形成している。また、この立壁１６３と立壁１６４の上部両端角縁には、各々外方に延びた断面アングル状の係止片１６５と係止片１６６が延設されている。前述した嵌合部１６１は、左側の島１１０のフロントタンク３４Ｌと分離・誘導塔１５との間に架橋されている導入樋１１を嵌合するもので、嵌合部１６１の内縁が分離・誘導塔１５に開設された流入口１５３に臨んでいる。また、嵌合部１６２は、右側の島１２０のフロントタンク３４Ｒと分離・誘導塔１５との間に架橋されている導入樋１２を嵌合するもので、嵌合部１６２の内縁が分離・誘導塔１５に開設された流入口１５４に臨んでいる。即ち、嵌合ブラケット１６は、分離・誘導塔１５の上部に、立壁１６３と立壁１６４で分離・誘導塔１５の前後を挟持するように、かつ、嵌合部１６１と嵌合部１６２で分離・誘導塔１５の両側を挟持するようにして跨設されている。前述の嵌合部１６１と嵌合部１６２は、嵌合ブラケット１６を分離・誘導塔１５に跨設した状態で、左側の島１１０のフロントタンク３４Ｌ側の嵌合部１６１が右側の島１２０のフロントタンク３４Ｒ側より上方に位置するように形成されている。即ち、嵌合部１６１は、立壁１６３と立壁１６４の下縁を直接連絡橋で接続して形成されているのに対し、嵌合部１６２は、立壁１６３と立壁１６４の下縁から下方に延設された突片１６７、突片１６８の下縁部を連絡橋で接続して形成されている。従って、嵌合ブラケット１６を分離・誘導塔１５に跨設した状態では、嵌合部１６１が、嵌合部１６２に対して上方（図1ならびに図４にＨで示す。）に位置することになる。（図１、符号Ｈで示す）
【００１９】
次に、導入樋１１と嵌合ブラケット１６に形成された嵌合部１６１ならびに導入樋１２と嵌合ブラケット１６に形成された嵌合部１６２との関係について説明する。導入樋１１は、流下する遊技球９が多い方の左側の島１１０に配設されている貯留・搬送装置３Ｌのフロントタンク３４Ｌと分離・誘導塔１５の上方に位置する嵌合部１６１との間に架設されている。そして、導入樋１１の下流側端縁が分離・誘導塔１５に開設された流入口１５３に臨んでいる。一方、導入樋１２は、流下する遊技球９が少ない方の右側の島１２０に配設されている貯留・搬送装置３Ｒのフロントタンク３４Ｒと分離・誘導塔１５の下方に位置する嵌合部１６２との間に架設されている。そして、導入樋１２の下流側端縁が分離・誘導塔１５に開設された流入口１５４に臨んでいる。このとき、前述したように、この嵌合部１６１（流入口１５３）と嵌合部１６２（流入口１５４）との間に高さの違いが生じるが、この高さの違いは、嵌合部１６１ならびに嵌合部１６２と分離・誘導プレート１３との間隔が最も短い位置（分離・誘導塔１５の後方に形成された分離・誘導プレート１３の差込用の開口１５２相当部分）を基準にとった場合に、嵌合部１６１と該短い位置との上下方向の間隔は、少なくとも遊技球９が２個重なることができる間隔が確保できる位置で、同様に嵌合部１６２と該短い位置との上下方向の間隔は、遊技球９が1個の間隔が確保できる位置になるように設定されている。このため、結果的に、後述する嵌合部１６１に嵌合され、流入口１５３に臨んでいる導入樋１１の底壁１１ａの位置も、嵌合部１６２に嵌合され、流入口１５４に臨んでいる導入樋１２の底壁１２ａより上方に位置することになる。
【００２０】
導入樋１１は、底壁１１ａと該底壁１１ａの両側縁に立設された側壁１１ｂならびに側壁１１ｃを有する断面チャンネル形状を成している。そして、遊技球９の流入側端部を左側の島１１０（即ち、遊技球９の流下量が多い方）に配設されている貯留・搬送装置３Ｌのフロントタンク３４Ｌに接続して、放出側端部を前述の嵌合ブラケット１６に形成したチャンネル状の嵌合部１６１に嵌合している。一方、底壁１１ａは、フロントタンク３４Ｌ側から嵌合部１６１方向に下り傾斜していて、導入樋１１の先端が嵌合部１６１から流入口１５３に臨むように配設されている。
【００２１】
一方、導入樋１２は、底壁１２ａと該底壁１２ａの両側縁に立設された側壁１２ｂならびに側壁１２ｃを有する断面チャンネル形状を成している。そして、遊技球９の流入側端部を右側の島１２０（即ち、遊技球９の流下量が少ない方）に配設されている貯留・搬送装置３Ｒのフロントタンク３４Ｒに接続して、放出側端部を前述の嵌合ブラケット１６に形成したチャンネル状の嵌合部１６２に嵌合している。一方、底壁１２ａは、フロントタンク３４Ｒ側から嵌合部１６２方向に下り傾斜していて、導入樋１２の先端が嵌合部１６２から流入口１５４に臨むように配設されている。
【００２２】
このため、フロントタンク３４Ｌと導入樋１１の接続位置と、フロントタンク３４Ｒと導入樋１２の接続位置が左右対称な関係にあると、導入樋１１の底壁１１ａの傾斜に対して、導入樋１２の底壁１２ａの傾斜は急傾斜となる。
【００２３】
分離・誘導プレート１３は、長矩形の平板で形成され、この平板には、平坦部分１３１と整流部１３２が形成されている。この整流部１３２は、分離・誘導プレート１３を分離・誘導塔１５に取り付けた状態で、平坦部分１３１の下流側に位置しており、平板の長手方向に突設された複数のレール１３３と該レール３３の間に形成された長孔１３４とを備えている。これらのレール１３３とレール１３３との間隔は、遊技球９が落下しない程度の間隔に設定され、遊技球９がこのレール１３３上を通過する際に遊技球９より小さい異物は、長孔１３４から落下除去される。尚、この長孔１３４には、必要時に遊技球９の流下を止めることができるようにシャッター（図示しない）が、出没可能に配設されている。
【００２４】
次に、遊技球導入装置１内での遊技球９の流れについて説明する。先ず、最初に左側の島１１０に配設されている貯留・搬送装置３Ｌから導入樋１１に流入する遊技球９の量と、右側の島１２０に配設されている貯留・搬送装置３Ｒから導入樋１２に流入する遊技球９の量は、特に、どちらかを優先する機能が設けられていない限り、略同数である。
【００２５】
次に、左側の島１１０に配設されている貯留・搬送装置３Ｌから導入樋１１に流入した遊技球９について説明すると、導入樋１１に流入した遊技球９は、導入樋１１の傾斜に沿って嵌合部１６１方向に転がりながら流下する。流下した遊技球９は、嵌合ブラケット１６に嵌合している導入樋１１の下縁から分離・誘導塔１５に開設されている流入口１５３を介して、分離・誘導塔１５の内部に放出される。このとき、嵌合部１６１（流入口１５３）が分離・誘導プレート１３に対して高い位置にあるので、放出された遊技球９は分離・誘導プレート１３上の広範囲に亘って放物線を描いて拡散される。（矢印ａ）そして、分離・誘導プレート１３上に拡散された遊技球９は、傾斜に沿って流下して、研磨・揚送装置２の取入口２１に取り込まれ、上部貯留タンク４に研磨・揚送される。
【００２６】
一方、右側の島１２０に配設されている貯留・搬送装置３Ｒから導入樋１２に流入した遊技球９は、導入樋１２の傾斜に沿って嵌合部１６２方向に転がりながら流下する。流下した遊技球９は、嵌合ブラケット１６に嵌合している導入樋１１の下縁から分離・誘導塔１５に開設されている流入口１５３を介して、分離・誘導塔１５の内部に放出される。このとき、嵌合部１６２（流入口１５４）が、嵌合部１６１（流入口１５３）より低い位置にあり、かつ傾斜が急なため、放出された遊技球９は、分離・誘導プレート１３上の嵌合部１６２（流入口１５４）に近い範囲に拡散される。（矢印ｂ）このため、嵌合部１６２に近い範囲に拡散された遊技球９は、先に放出された遊技球９や反対側の導入樋１１から放出された遊技球９と衝突して、その流出が阻害されるために、遊技球９の分離・誘導プレート１３への流入量が制限され、結果的に遊技球９の搬送量が少なくなる。
【００２７】
このように、流下する遊技球９が多い方の貯留・搬送装置３Ｌから導入樋１１を介して流入口１５３からに分離・誘導塔１５の内部に放出される遊技球９の方が、流下する遊技球９が少ない方の貯留・搬送装置３Ｒから導入樋１２を介して流入口１５４から分離・誘導塔１５の内部に放出される遊技球９より多く分離・誘導プレート１３上に落下して、研磨・揚送装置２に誘導され、上部貯留タンク４に揚送される。その結果、貯留・搬送装置３Ｌに貯留されている遊技球９が貯留・搬送装置３Ｒに貯留されている遊技球９より早く減少する。
【図面の簡単な説明】
【００２８】
【図１】本発明の遊技球導入装置を示した正面図である。
【図２】本発明の遊技球導入装置を示した上面図である。
【図３】本発明の遊技球導入装置を示した側面図である。
【図４】嵌合ブラケットを示した概略斜視図である。
【図５】本発明の遊技球導入装置の配置を示した遊技機島の正面図である。
【符号の説明】
【００２９】
１００  遊技機島
１１０  左側の島
１２０  右側の島
１  遊技球導入装置
１１  導入樋（左側の島側）
１１ａ  底壁
１１ｂ  側壁（手前側）
１１ｃ  側壁（向側）
１２  導入樋（右側の島側）
１２ａ  底壁
１２ｂ  側壁（手前側）
１２ｃ  側壁（向側）
１３  分離・誘導プレート
１３１  平坦部分
１３２  整流部
１３３  レール
１３４  長孔
１４  脚部
１５  分離・誘導塔
１５１  開口
１５２  開口（分離・誘導プレートの差込用）
１５３  流入口（左側の島側）
１５４  流入口（右側の島側）
１６  嵌合ブラケット
１６１  嵌合部（左側の島側）
１６２  嵌合部（右側の島側）
１６３  立壁
１６４  立壁
１６５  係止片
１６６  係止片
１６７  突片
１６８  突片
２  研磨・揚送装置
２１  取入口
３Ｌ  貯留・搬送装置（以下、左側の島１１０側）
３１Ｌ  エンドタンク
３２Ｌ  傾斜リフター
３３Ｌ  アウトレール
３４Ｌ  フロントタンク
３５Ｌ  エンドホース
３６Ｌ  オーバフローホース
３Ｒ  貯留・搬送装置（以下、右側の島１２０側）
３１Ｒ  エンドタンク
３２Ｒ  傾斜リフター
３３Ｒ  アウトレール
３４Ｒ  フロントタンク
３５Ｒ  エンドホース
３６Ｒ  オーバフローホース
４  上部貯留タンク
５  玉計数機
６  遊技機
７  遊技球貸機
８Ｌ  遊技球搬送装置（左側の島１１０側）
８Ｒ  遊技球搬送装置（右側の島１２０側）
９  遊技球
Ｈ  嵌合部１６１（流入口１５３）と嵌合部１６２（流入口１５４）との高低差
ａ  嵌合部１６１（流入口１５３）から放出された遊技球の方向を示す矢印
ｂ  嵌合部１６２（流入口１５４）から放出された遊技球の方向を示す矢印
【図１】
2008229132.tif 000003
【図２】
2008229132.tif 000004
【図３】
2008229132.tif 000005
【図４】
2008229132.tif 000006
【図５】
2008229132.tif 000007